(57)【要約】【目的】コンクリート吹付機のホースの目詰まりを防止する。【構成】本発明に係る吹付け用木片コンクリートの製造方法においては、まず、調達された木片を振動篩で選別する（ステップ１０１）。選別される木片の最大寸法、すなわち振動篩の目開は、コンクリート吹付機のホースの内径を適宜考慮すればよいが、例えば２５ｍｍ程度とするのがよい。木片の選別が終了したならば、選別された木片を、水、セメントその他所要の混練材料とともに例えば開放型ミキサーであるソイルミキサーに投入して混練し、吹付け用木片コンクリートとする（ステップ１０２）。【選択図】  図１
2004161548.tif 000002
【特許請求の範囲】
【請求項１】
多数の木片が該木片同士に間隙が生じるようにセメントで相互に固結される吹付け用木片コンクリートの製造方法であって、前記木片をそれらの最大寸法が所定の寸法以下となるように篩で選別し、次いで、選別された木片を水、セメントその他所要の混練材料と混練することを特徴とする吹付け用木片コンクリートの製造方法。
【発明の詳細な説明】
【０００１】
【発明の属する技術分野】
本発明は、主として緑化を目的として法面に吹き付ける吹付け用木片コンクリートの製造方法に関する。
【０００２】
【従来の技術】
造成地の盛土や切土、道路の盛土、河川堤防等に見られる傾斜地においては、適当な手段でこれを保護することにより、法面の侵食、剥離、落石等を未然に防止しなければならない。
【０００３】
法面保護の手段としては、コンクリートやモルタルの吹付けがその典型的な方法として知られているが、最近では、環境面に配慮すべく、緑化による法面保護を採用することが多くなってきた。
【０００４】
法面を緑化によって保護する方法としては、植物の種子、肥料、水、チップ材、粘着剤等を攪拌混合した水性スラリーからなる植生基材を法面に吹き付けるのが一般的であり、かかる方法によれば、法面への吹付け後、一定期間後に発芽した植物の根が傾斜地盤内に拡がって該傾斜地盤を安定させることが可能となる。
【０００５】
ところが、かかる方法では、植物をしっかりと定着させるべく、植生基材を一定厚さ以上吹き付けねばならず、コストがかかる。
【０００６】
そのため、最近では、植生基材の下地として木片コンクリートを吹き付ける技術が開発されている（非特許文献１参照）。
【０００７】
【非特許文献１】
株式会社大林組、技術インデックス、［ｏｎｌｉｎｅ］、［平成１４年９月２４日検索］、インターネット＜ＵＲＬ  ：  ｈｔｔｐ：／／ｗｗｗ．ｏｂａｙａｓｈｉ．ｃｏ．ｊｐ／ｔｅｃｈｎｏｌｏｇｙ／ｉｎｄｅｘ／ｉｎｄｅｘ．ｈｔｍｌ＞
【０００８】
【発明が解決しようとする課題】
木片コンクリートとは、多数の木片を該木片同士に間隙が生じるようにセメント含有物質で相互に固結させてなるものであり、植物を定着させる点で植生基材の一部に代えることができる。また、一定の排水性を有するため、背面の土壌から酸性水が浸出したとしても、該酸性水は木片コンクリートを介して排水され、植生基材に悪影響を及ぼす懸念がなくなるとともに、土壌からの湧水のうち、一部を植生基材へと供給し、過剰分については排水することが可能となる。そして、植物は、木片の間隙を縫うようにその根を伸長させるため、成長が阻害される懸念もない。
【０００９】
しかしながら、かかる木片は、間伐材や廃木材等をリサイクルを目的としてチッピングされたものばかりではなく、単なる廃棄処分を目的として破砕された針状で毛羽立ったものもある。そして、かかる針状の木片は、比較的長いものが多い。
【００１０】
そのため、コンクリート吹付機のホース内で長い木片が引っ掛かって該ホース内を目詰まりさせてしまうという問題を生じていた。
【００１１】
本発明は、上述した事情を考慮してなされたもので、コンクリート吹付機のホースの目詰まりを防止することが可能な吹付け用木片コンクリートの製造方法を提供することを目的とする。
【００１２】
【課題を解決するための手段】
上記目的を達成するため、本発明に係る吹付け用木片コンクリートの製造方法は請求項１に記載したように、多数の木片が該木片同士に間隙が生じるようにセメントで相互に固結される吹付け用木片コンクリートの製造方法であって、前記木片をそれらの最大寸法が所定の寸法以下となるように篩で選別し、次いで、選別された木片を水、セメントその他所要の混練材料と混練するものである。
【００１３】
本発明に係る吹付け用木片コンクリートの製造方法においては、まず、木片をそれらの最大寸法が所定の寸法以下となるように篩で選別する。
【００１４】
次に、選別された木片を水、セメントその他所要の混練材料と混練する。
【００１５】
このようにすると、木片は最大寸法以下で揃えられることとなり、該最大寸法を適切に設定すれば、コンクリート吹付機のホース内で引っ掛かって詰まるおそれはなくなる。
【００１６】
すなわち、上述したように選別すれば、最大寸法を上回る長さの木片は、篩上に残留するため、ホース内で詰まるおそれのない木片だけを選別することが可能となる。
【００１７】
なお、必要に応じて二段選別とするのが好ましい。この場合、上述した最大寸法以下の選別に加えて、最小寸法以上の選別を行う。
【００１８】
上述した発明において、吹付け用木片コンクリートの製造が終了したならば、これをコンクリート吹付機に移送した後、該コンクリート吹付機で吹付け用木片コンクリートを法面に吹き付けることにより、木片をそれらの間に所定の間隙が形成されるように相互に固結してなる木片コンクリート層を法面上に形成して植生基材の下地とすればよい。
【００１９】
本発明に係る吹付け用木片コンクリートの製造方法は、フレッシュコンクリートのみならず、セメントミルクやフレッシュモルタルを使用した場合についても便宜上、包括的に吹付け用木片コンクリートと呼ぶこととする。
【００２０】
すなわち、木片、水及びセメントを混練することに関し、本発明は、これら以外の混練材料を排除することを意図するものではなく、木片、水及びセメントを混練材料とする場合のほか、これらに加えて細骨材を混練材料として加える場合、あるいはさらに粗骨材を混練材料として加える場合も含まれる。具体的には、木片、水及びセメントを混練材料とする場合には、木片はセメントミルク（セメントペースト）と混練され、細骨材を混練材料として追加する場合には、木片はフレッシュモルタルと混練され、粗骨材を混練材料として追加する場合には、木片はフレッシュコンクリートと混練されることになる。
【００２１】
なお、セメントの凝結硬化を促進すべく、例えばリグニンスルホン酸及びロダン化合物を主成分とする無塩化形の混和剤を添加することも任意である。
【００２２】
【発明の実施の形態】
以下、本発明に係る吹付け用木片コンクリートの製造方法の実施の形態について、添付図面を参照して説明する。なお、従来技術と実質的に同一の部品等については同一の符号を付してその説明を省略する。
【００２３】
図１は、本実施形態に係る吹付け用木片コンクリートの製造方法の手順を示したフローチャートである。同図に示すように、本実施形態に係る吹付け用木片コンクリートの製造方法においては、まず、調達された木片を振動篩で選別する（ステップ１０１）。
【００２４】
選別される木片の最大寸法、すなわち振動篩の目開は、コンクリート吹付機のホースの内径を適宜勘案すればよいが、例えば２０ｍｍ〜３０ｍｍ程度、特に２５ｍｍ程度に設定するのがよい。
【００２５】
なお、必要に応じて二段選別とするのが望ましい。この場合、上述した最大寸法以下の選別に加えて、最小寸法以上の選別、例えば５ｍｍ〜１０ｍｍ程度の選別を行う。
【００２６】
このように振動篩で選別すれば、最大寸法を上回る長さの木片は、振動篩上に残留する。そして、上述の例で言えば、最大寸法が２５ｍｍ以下の木片だけが振動篩を通過する。
【００２７】
木片の選別が終了したならば、選別された木片を、水、セメントその他所要の混練材料とともに例えば開放型ミキサーであるソイルミキサーに投入して混練し、吹付け用木片コンクリートとする（ステップ１０２）。
【００２８】
製造された吹付け用木片コンクリートは、以下の手順で法面緑化に使用することができる。
【００２９】
すなわち、まず、製造された吹付け用木片コンクリートをベルトコンベヤでコンクリート吹付機まで搬送し、該吹付機の密閉型コンプレッサーに投入する。
【００３０】
次に、図２に示すように、吹付け用木片コンクリート１０をコンクリート吹付機のノズルから噴出して法面２１に吹き付ける。
【００３１】
このようにすると、木片９同士の間に間隙２３が形成されてなる木片コンクリート層２２が法面２１の上に形成される。
【００３２】
次に、吹付け用木片コンクリート１０内のセメントミルク２４の硬化を待ち、しかる後、木片コンクリート層２２の上に植生基材２５を吹き付ければ、法面２１の緑化を図ることができる。
【００３３】
ここで、選別された多数の木片を上述した混練材料と混練する詳細な手順例を以下に説明する。なお、以下の手順は、木片と水、セメントその他所要の混練材料との混練手順の一例であって、かかる手順に限定されるものではなく、要は、木片とそれ以外の混練材料とが均一に混練されればよい。
【００３４】
混練の手順例としては、まず、多数の木片を上述したように開放型ミキサーであるソイルミキサーに先行投入し、これを空練りする。このようにすると、多数の木片をソイルミキサー内に均等に分散させ、ソイルミキサー内での偏在を防止することができる。
【００３５】
次に、水及びセメントをソイルミキサーに同時投入し、次いで、先行投入された木片とともに混練する。このようにすると、木片とセメントとの混練中は、セメントのみならず、水も存在することとなり、該水がセメントによる木片同士の摩擦抵抗を低減する役目を果たす。そのため、木片とセメントとを攪拌する際、木片がソイルミキサーから飛び出す懸念がなくなり、かくして、木片の飛び出しを押さえる作業員が不要になるとともに、それに伴って攪拌作業の効率も向上し、ひいては、吹付け作業の全体工期を短縮することが可能となる。
【００３６】
水及びセメントは、それぞれ必要な量だけ計量槽で計量し、これらを例えばセメントミルクの形で投入すればよい。
【００３７】
水及びセメントを計量するにあたっては、製造された吹付け用木片コンクリートを吹き付けた後、セメントミルクが硬化した状態で木片同士の間に間隙が形成されている必要があるため、セメントミルクを木片の量に対して貧配合とし、ソイルミキサー内で木片の周囲にセメントミルクを付着させるように攪拌混合するのが望ましい。すなわち、セメントミルクが多すぎると、木片同士の間隙が少なくなり、セメントミルクが少なすぎると、木片同士を固結させる強度が不足するため、木片とセメントミルクとの配合割合は、かかる観点を考慮して適宜決定する。
【００３８】
次に、ソイルミキサーに増粘剤を添加して再混練し、吹付け用木片コンクリートとする。このように増粘剤を添加すると、木片とセメントミルクとは分離せず、木片をそれらの間に間隙が形成されるようにセメントミルクを介して固結させることが可能となる。そのため、木片コンクリート層を工期通りにかつ良好に形成することができるとともに、それによって、後工程である植生基材の吹付けを工期通り、確実に行うことが可能となる。
【００３９】
また、木片同士の間隙がセメントミルクで完全に充填された状態で硬化したり、材料分離したセメントミルクだけが法面の上で硬化することでコンクリート層（モルタル層、セメント層）が法面を覆ってしまったりといった事態を未然に回避することが可能となり、かくして、背面土壌の栄養分や水分は、植生基材へとスムーズに供給されるとともに、ある程度成長した段階においては、植物は、その根を背面土壌に伸張させることにより、背面土壌から栄養分や水分を吸収し、順調に生育することができる。
【００４０】
また、増粘剤としてエチレン酢酸ビニル系エマルジョンを使用すると、セメントミルクと木片との分離抵抗性、ひいてはそれに起因する上述の効果がさらに顕著となるのみならず、エマルジョン化のプロセスにおいて、環境ホルモンに影響を及ぼす懸念があるフタル酸などの物質を添加物として用いないため、環境面でも優れる。また、セメントミルクの水和反応を遅延させるタンニンが木片内に多く含まれていたとしても、木片とセメントミルクとを長時間分離させないため、木片同士をそれらの間に間隙が形成されるようにセメントミルクを介して確実に固結させることが可能となる。
【００４１】
増粘剤添加後の再混練については、コンクリート吹付機内での閉塞を防止すべく、できるだけ短時間とする、言い換えれば、全攪拌工程の終了直前に増粘剤を添加するのが望ましい。
【００４２】
以上説明したように、本実施形態に係る吹付け用木片コンクリートの製造方法によれば、木片をそれらの最大寸法が所定の寸法以下となるように篩で選別し、次いで、選別された木片を水、セメントその他所要の混練材料と混練するようにしたので、木片は最大寸法以下で揃えられることとなり、該最大寸法を適切に設定すれば、コンクリート吹付機のホース内で引っ掛かって詰まるおそれはなくなる。
【００４３】
本実施形態では、混練の詳細例として、木片の先行投入や増粘剤の添加について説明したが、上述したように、これらはあくまで混練手順の一例であり、木片と他の混練材料とを同時混練してもよいし、増粘剤を添加するかどうかも任意である。また、混練するためのミキサーも開放型ミキサーである必要はなく、バッチ式の密閉型ミキサーを使用してもよい。
【００４４】
また、本実施形態では、圧砕機から生じる木片を選別の対象としたが、これに代えて、あるいはこれに加えて、間伐材や廃木材等をリサイクルを目的としてチッピングされた木片を選別するようにしてもかまわない。
【００４５】
【発明の効果】
以上述べたように、本発明に係る吹付け用木片コンクリートの製造方法によれば、木片をそれらの最大寸法が所定の寸法以下となるように篩で選別し、次いで、選別された木片を水、セメントその他所要の混練材料と混練するようにしたので、木片は最大寸法以下で揃えられることとなり、該最大寸法を適切に設定すれば、コンクリート吹付機のホース内で引っ掛かって詰まるおそれはなくなる。
【００４６】
【図面の簡単な説明】
【図１】第１実施形態に係る吹付け用木片コンクリートの製造方法の製造手順を示したフローチャート。
【図２】第１実施形態に係る吹付け用木片コンクリートの製造方法を用いて法面緑化を行っている様子を示した図。
【図１】
2004161548.tif 000003
【図２】
2004161548.tif 000004